(57)【要約】【課題】効率の良い消費電力を削減した原稿読み取りができるようにする。【解決手段】原稿を主走査の複数ブロックに分割して読み取る画像読み取り装置において、前記分割された各ブロックごとに独立かつ並列に画像処理を行う画像処理回路を有し、前記分割された各ブロックを動作させるか否かを前記原稿の主走査幅によって制御する。【選択図】      図３
2006313960.tif 000002
【特許請求の範囲】
【請求項１】
原稿を主走査方向の複数ブロックに分割して読み取る画像読み取り装置における画像読み取り装置の制御方法において、前記分割されたブロックは、ブロック毎に独立かつ並列に画像処理を行う画像処理回路を有し、前記分割された各ブロックを動作させるか否かを前記原稿の主走査幅に応じて制御する制御手段を有することを特徴とする画像読み取り装置の制御方法。
【請求項２】
原稿を主走査方向の複数ブロックに分割して読み取る画像読み取り装置における画像読み取り装置の制御方法において、前記分割されたブロックは、ブロック毎に独立かつ並列に動作可能な光電変換素子と画像処理を行う画像処理回路を有し、前記分割された各ブロックを動作させるか否かを前記原稿の主走査幅に応じて制御する制御手段を有することを特徴とする画像読み取り装置の制御方法。
【請求項３】
前記分割された各ブロックを動作させるか否かをユーザーが指定した原稿サイズにより制御することを特徴とする請求項１または２に記載の画像読み取り装置の制御方法。
【発明の詳細な説明】
【技術分野】
【０００１】
本発明は、ドキュメントスキャナ、デジタル複写機、ファクシミリ等において、主走査１ラインの画像データを複数ブロックに分割して読み取る構成をとった画像読み取り装置の制御方法に関する。
【背景技術】
【０００２】
デジタル複写機、ファクシミリ装置等の画像入出力システムでは、その入力手段として例えば、原稿面を光走査して画素単位に走査、サンプリングして１ラインごとに光電変換して読み取る電荷結合素子（以下ＣＣＤと記す。）等の光電変換素子が用いられている。そして、この光電変換素子によって得られた画像データに対して補正処理等の画像処理を施す画像読み取り装置が良く知られている。
【０００３】
このような画像読み取り装置では、原稿を高解像度で読み取る場合、高画素密度なＣＣＤラインセンサを用いなければならない。しかしながら、実際には半導体集積技術における製造上の問題等から、長尺の１ライン分の画像データを読み取ることのできる素子を製造することが困難である。また、読み取り速度を向上させたい場合にもＣＣＤの動作速度の向上には限界がある。
【０００４】
そこで従来は、複数の素子をライン状に並設して画像の１走査ラインの領域を複数に分割させて読み取り、その後分割されていた画像データを１ラインの画像データに直す処理を施すことが行われている（例えば、特許文献１、２、３、４参照）。
【特許文献１】特開昭５７−２６９６３号公報
【特許文献２】特開昭５８−１３１８６０号公報
【特許文献３】特開平５−１９１５７５号公報
【特許文献４】特開平６−４６６１号公報
【発明の開示】
【発明が解決しようとする課題】
【０００５】
しかしながら、前述のような１ラインの画像データを分割して処理する事により、長尺原稿読み取り及び読み取り速度の向上を行えるが、例えば特許文献４に記載の発明のように分割した領域毎に独立で持たせた画像処理手段を並列に動作させる必要があり、回路規模の増大及び消費電力が上がってしまう問題点があった。
【０００６】
そこで、本発明は、このような課題および他の課題の少なくとも１つを解決することを目的とする。なお、他の課題については明細書の全体を通して理解できよう。
【課題を解決するための手段】
【０００７】
上記課題を解決するため、請求項１記載の発明では、原稿を主走査の複数ブロックに分割して読み取る画像読み取り装置における画像読み取り装置の制御方法において、前記分割されたブロックは各ブロックごとに独立かつ並列に画像処理を行う画像処理回路を有し、前記分割された各ブロックを動作させるか否かを前記原稿の主走査幅により制御することを特徴とする。
【０００８】
上記課題を解決するため請求項２記載の発明では、原稿を主走査の複数ブロックに分割して読み取る画像読み取り装置における画像読み取り装置の制御方法において、前記分割されたブロックは各ブロックごとに独立かつ並列に動作可能な光電変換素子と画像処理を行う画像処理回路を有し、前記分割された各ブロックを動作させるか否かを前記原稿の主走査幅により制御することを特徴とする。
【０００９】
上記課題を解決するため請求項３記載の発明では、前記分割された各ブロックを動作させるか否かをユーザーが指定した原稿サイズにより制御することを特徴とする。
【発明の効果】
【００１０】
本発明によれば、分割された各ブロックの光電変換素子及び画像処理回路を動作させるか否かを前記原稿の主走査幅、ユーザーが指定した原稿サイズにより選択的に制御するため、効率の良い消費電力を削減した原稿読み取りを行う事が可能となる。
【発明を実施するための最良の形態】
【００１１】
以下、図面に基づき本発明の実施の形態を説明する。
【実施例】
【００１２】
［実施形態１］
図１は、本実施例の画像読み取り装置の概略構成図である。図１に示す画像読み取り装置１０１は、原稿面に対して光を照射するランプ１０４、プラテンカバー１０３内の原稿台ガラス１１７上に載置された原稿１０２によって反射されたランプ１０４からの反射光を受けるミラー１０５、ランプ１０４とミラー１０５を配置する光学台１１２、ミラー１０５によって反射された光をレンズ１０８に向けるミラー１０６、１０７を配置する光学台１１３を有し、また光学台１１２、１１３はモーター１１１をホームポジションセンサ１１５を基準位置として正転、逆転することにより制御し、原稿１０２を走査することが出来る。また光学台１１２、１１３によって導かれる原稿面からの反射光を集光するレンズ１０８と、レンズ１０８によって集光された原稿面からの光を受けて光電変換を行うＣＣＤ１０９を基板１１０上に有する。
【００１３】
このＣＣＤ１０９は主走査が中央にて２領域に分割されている（ＣＣＤ１０９の詳細構成については後述する）。またランプ１０４の光量ばらつき、ＣＣＤ１０９の感度ばらつきを測定する際に使用する主走査全域をカバーする大きさの比較的濃度の安定した基準白色板１１４を有する。ＣＣＤ１０９は読み取った画像データを図示しない原稿読み取りコントローラ１１６に転送し、原稿読み取りコントローラ１１６は後述するシェーディング補正等の画像処理を行う画像処理回路により所定の画像処理を行い、プリンタ、ＰＣ等に読み取った画像データを転送する処理を行う。また、ユーザーが読み取り原稿サイズ、読み取りモード等を指定し読み取り動作開始を指示する操作部１２０を有する。
【００１４】
図２に操作部１２０の概略構成図を示す。本実施形態の原稿読み取り部はこの構成を用いて、ユーザーからの読み取り開始指示によって原稿１０２を光学台１１２、１１３を副走査方向に走査することにより読み取る動作を行う。
【００１５】
図３の詳細構成図を用いてＣＣＤ１０９の詳細について説明すると、定型のＡ３サイズの主走査幅原稿が６００ｄｐｉで読み取れるようにＣＣＤ１０９は７４００画素の画素数を有しており、図３のように３７００画素目のところで分割され、原稿読み取りコントローラ１１６から電源の供給を制御する事でそれぞれ前半部、後半部を独立に動作させる事が出来るようになっている。
【００１６】
図４に示すような出力画素順で画像データが読み出される。このような出力画素順で画像データが読み出されるため、この画像データを後述する並べ替え回路にて０→７３９９画素の順番に画像データを並べ替える処理を行ってからプリンタ、ＰＣ等に読み取った画像データを転送する構成となっている。
【００１７】
次に原稿１０２を読み取る際の動作について説明すると、操作部１２０から原稿読み取りを指示された際原稿読み取りコントローラ１１６は、基準白色板１１４を読み取る位置に光学台１１２、１１３をモーター１１１を制御して停止し、ＣＣＤ１０９に電源を供給して駆動しランプ１０４を点灯し基準白色板１１４を読み取る。原稿読み取りコントローラ１１６は基準白色板１１４を読み取った結果からランプ１０４の光量ばらつき、ＣＣＤ１０９の感度ばらつきを補正するシェーディング補正を行い正規化しながらモーター１１１を制御して原稿１０２を副走査することにより、原稿１０２を読み取る。
【００１８】
原稿読み取り部１０１の制御構成図を図２に示す、原稿読み取りコントローラ１１６の画像処理回路の構成図を図５に示す。
【００１９】
図６のように画像処理回路はＣＣＤ１０９の前半部、後半部それぞれ独立に有しており、並べ替え回路３０３までは独立かつ並列に画像処理が行えるようになっている。また画像処理回路はクロック同期で動作するようにＡＳＩＣ（カスタムＩＣ）設計が行われている。分割された領域毎に独立した画像処理回路の部分に関しては原稿読み取りコントローラ１１６から、クロック供給ｏｒ停止をする事でそれぞれ独立に動作ｏｒ停止の制御を行えるようになっている。
【００２０】
シェーディング補正回路３０１ａ、３０１ｂの詳細について説明すると、ＣＣＤ１０９を駆動しランプ１０４を点灯し基準白色板１１４を読み取り、図４に示すようなランプ１０４の光量ばらつき、ＣＣＤ１０９の感度ばらつきを含んだ読み取り結果を主走査全域画素毎にシェーディング補正用メモリ３０２ａ、３０２ｂに記憶する。（記憶したデータを以下ＨＤＡＴＡとする）この読み取り結果を所定の目標値（ＫＤＡＴＡ）にするように、以下の演算を行いながら画像を読み取る事が出来るようになっている。
【００２１】
ＯＤＡＴＡ（ｎ）＝ＫＤＡＴＡ（ｎ）／ＨＤＡＴＡ（ｎ）×ＩＤＡＴＡ（ｎ）…（Ａ）
ＯＤＡＴＡ：出力データ
ＩＤＡＴＡ：入力データ
ＨＤＡＴＡ：基準白色板読み取りデータ
ＫＤＡＴＡ：目標値データ
ｎ：主走査位置を示す。
【００２２】
この演算を行う事により、ランプ１０４の光量ばらつきＣＣＤ１０９の感度ばらつきを補正した読み取りを行う事が可能となる。図７に基準白色板読み取り結果の例を、図８に補正した際の読み取り結果の例を示す。
【００２３】
次に並べ替え回路３０３の詳細について説明すると、図４のような並びで入力される画像データを並べ替え用メモリ３０４を使用して図９のように通常の画像データの並びに並べ替える処理を行う。この並べ替えた画像データをプリンタ、ＰＣ等に転送出来るようになっている。
【００２４】
次に本実施例の特徴である処理について説明する。図６のようにＣＣＤ１０９の分割領域毎に画像処理回路を独立かつ並列に動作させることが出来るように構成しているため、原稿サイズによってはＣＣＤ１０９の後半部領域は使用する必要の無い場合がある。よって、原稿読み取りコントローラ１１６は操作部１２０により原稿読み取り開始が指示された場合、ユーザーが操作部１２０にて指定した読み取り原稿サイズによってＣＣＤ１０９後半部への電源供給、及び図３の画像処理回路の動作開始及び停止を制御する。
【００２５】
例えば表１に示すような定型原稿サイズを操作部１２０で指定可能で、かつこの定型サイズ原稿を原稿台ガラス１１７に載置する際に、図１０の原稿載置図に示すように載置する構成とすると。ＣＣＤ１０９の分割位置である主走査幅１５０ｍｍ位置より小サイズの原稿サイズであるＡ５−Ｒ、Ａ６、ＳＴＭＴ−Ｒサイズを操作部１２０で指定された場合、原稿読み取りコントローラ１１６はＣＣＤ１０９の前半部のみ電源供給し、また図６の画像処理回路部のＣＣＤ１０９前半用画像処理回路部の動作を行うように制御し、動作させる必要の無いＣＣＤ１０９の後半部及び図６のＣＣＤ１０９後半用画像処理回路部については動作を停止させる制御を行い、原稿読み取り動作を開始する。図１１に制御のフローチャートを示す。
【００２６】
このような制御を行う事で、不必要なＣＣＤ領域及び画像処理回路を停止する事が可能となるため効率の良い、消費電力を削減した原稿読み取り動作を行う事が可能となる。
【００２７】
【表１】
2006313960.tif 000003
【００２８】
［実施形態２］
本発明の第２の実施例に係る画像読み取り装置は実施例１同様の構成に加えて、原稿読み取りコントローラ１１６の画像処理部を図１２のように、出力セレクタ３０５を設け並べ替え回路３０３の信号もしくはＣＣＤ前半部用画像処理回路の信号を選択する事が出来るように構成されている。
【００２９】
原稿読み取りコントローラ１１６はＣＣＤ１０９の分割位置である主走査幅１５０ｍｍ位置より小サイズの原稿サイズであるＡ５−Ｒ、Ａ６、ＳＴＭＴ−Ｒサイズを操作部１２０で指定された場合、ＣＣＤ１０９の前半部のみ電源供給し、また図６の画像処理回路部のＣＣＤ１０９前半用画像処理回路部の動作を行うように制御し、動作させる必要の無いＣＣＤ１０９の後半部及び図６のＣＣＤ１０９後半用画像処理回路部については動作を停止させる制御を行う。
【００３０】
次に原稿読み取りコントローラ１１６は並べ替え回路３０３へのクロック供給を停止して動作を停止し、出力セレクタ３０５でＣＣＤ１０９前半用画像処理部のデータを選択してＰＣ、プリンタ等に画像データを転送する。この構成で原稿を読み取る際の制御フローチャートを図１６に示す。
【００３１】
このような制御を行う事で、不必要なＣＣＤ領域及び画像処理回路を停止する事が可能となるため効率の良い、消費電力を削減した原稿読み取り動作を行う事が可能となる。
【００３２】
［実施形態３］
本発明の第３の実施例に係る画像読み取り装置は実施例１同様の構成に加えて、図１３の構成図、図１４の原稿載置図に示すように原稿幅検出用光学センサ１２１を配置した場合の制御について説明する。原稿読み取りコントローラ１１６はユーザーから原稿読み取り開始が指示された場合、原稿幅検出用光学センサ１２１ａ、１２１ｂの出力により１２１ａセンサのみ原稿ありと検出された場合に、ＣＣＤ１０９の分割位置である主走査幅１５０ｍｍ位置より小サイズの原稿サイズであると判断し、原稿読み取りコントローラ１１６はＣＣＤ１０９の前半部のみ電源供給し、また実施例１同様に画像処理回路部の動作を制御し、動作させる必要の無いＣＣＤ１０９の後半部及び図６のＣＣＤ１０９後半用画像処理回路部については動作を停止させる制御を行い、原稿読み取り動作を開始する。図１５に制御のフローチャートを示す。
【００３３】
このような制御を行う事で、不必要なＣＣＤ領域及び画像処理回路を停止する事が可能となるため効率の良い、消費電力を削減した原稿読み取り動作を行う事が可能となる。
【図面の簡単な説明】
【００３４】
【図１】装置概略構成図
【図２】操作部概略構成図
【図３】ＣＣＤ詳細構成図
【図４】ＣＣＤ出力信号説明図
【図５】装置制御構成図
【図６】画像処理回路構成図
【図７】基準白色板読み取り結果を示す図
【図８】シェーディング補正後読み取り結果を示す図
【図９】並べ替え回路出力信号説明図
【図１０】原稿載置説明図
【図１１】読み取り制御フローチャート
【図１２】画像処理回路構成図
【図１３】装置概略構成図
【図１４】原稿幅検出用光学センサ配置図
【図１５】読み取り制御フローチャート
【図１６】読み取り制御フローチャート
【符号の説明】
【００３５】
１０１  画像読み取り装置
１０２  原稿
１０３  プラテンカバー
１０４、１０５  ランプ
１０６、１０７  ミラー
１０８  レンズ
１０９  ＣＣＤ
１１０  基板
１１１  モーター
１１２、１１３  光学台
１１５  ホームポジションセンサ
１１７  原稿台ガラス
【図１】
2006313960.tif 000004
【図２】
2006313960.tif 000005
【図３】
2006313960.tif 000006
【図４】
2006313960.tif 000007
【図５】
2006313960.tif 000008
【図６】
2006313960.tif 000009
【図７】
2006313960.tif 000010
【図８】
2006313960.tif 000011
【図９】
2006313960.tif 000012
【図１０】
2006313960.tif 000013
【図１１】
2006313960.tif 000014
【図１２】
2006313960.tif 000015
【図１３】
2006313960.tif 000016
【図１４】
2006313960.tif 000017
【図１５】
2006313960.tif 000018
【図１６】
2006313960.tif 000019